(57)【要約】【課題】  到着時刻を自動で待ち合わせ相手に通知することのできる待ち合わせ支援システムを提供する。【解決手段】待ち合わせ支援システム１では、ユーザが乗車駅の自動改札機４を通過すると、携帯端末２から待ち合わせ支援装置３へ入場連絡先情報が通知され、待ち合わせ支援装置３は、入場連絡先情報に対応するユーザが乗車する列車を推測し、該列車が目的駅に到着する到着時刻を該ユーザが目的駅に到着する到着時刻として特定し、入場済みのユーザが所持する携帯端末２に特定した到着時刻を自動で配信する。【選択図】図１
2013116713.tif 000002
【特許請求の範囲】
【請求項１】
ユーザが所持しモバイル用ＩＣチップが搭載された携帯端末と、待ち合わせを支援するサービスを提供している待ち合わせ支援装置とから少なくとも構成されるシステムであって、
前記携帯端末は、待ち合わせ日時並びにユーザの連絡先情報及び経路情報を記憶し、モバイル用非接触ＩＣチップが経路情報の乗車駅に設置された自動改札機と交信すると、交信した日付が待ち合わせ日と同じ場合、前記携帯端末が記憶している連絡先情報を入場連絡先情報として前記待ち合わせ支援装置に通知する乗車通知手段と、前記待ち合わせ支援装置から連絡先情報と到着時刻を受信すると、受信した到着時刻と前記携帯端末が記憶している待ち合わせ時刻とから、該連絡先情報に対応するユーザの遅刻を判定し、判定結果を表示する到着状況表示手段を備え、
前記待ち合わせ支援装置は、待ち合わせのメンバーとして登録されているユーザ毎に、ユーザの連絡先情報と目的駅までの経路情報が記された待ち合わせ管理情報を記憶している待ち合わせ管理情報ＤＢと、前記携帯端末から前記入場連絡先情報が送信されると、持ち合わせ日がこの時の日付で前記入場連絡先情報を含む前記待ち合わせ管理情報を前記待ち合わせ管理情報ＤＢから検索する検索手段と、前記検索手段が検索した前記待ち合わせ管理情報から前記入場連絡先情報に関連付けられた経路情報を取得し、取得した経路情報とこの時の時刻に適合する列車を特定した後、特定した列車の時刻表から、特定した列車が該経路情報の目的駅に到着する到着時刻を取得する到着時刻取得手段と、前記到着時刻取得手段が到着時刻を取得すると、前記検索手段が検索した前記待ち合わせ管理情報から入場フラグが立てられている連絡先情報を検索し、前記入場連絡先情報と取得した到着時刻を抽出した連絡先情報宛に送信すると共に、入場フラグが立てられている連絡先情報と該連絡先情報に関連付けられている到着時刻並びに前記入場連絡先情報と取得した到着時刻を前記入場連絡先情報宛に送信した後、検索した待ち合わせ管理情報に含まれる前記入場連絡先情報に入場フラグを立てると共に、前記入場連絡先情報に関連付けて到着時刻を検索した待ち合わせ管理情報に記憶する到着時刻配信手段を備え、
ていることを特徴とする待ち合わせ支援システム。
【請求項２】
前記携帯端末の前記到着状況表示手段は、受信した到着時刻とこの時の時刻からユーザが目的駅に到着するまでの所要時間を求めた後、前記携帯端末が計測している時刻をキーとして所要時間の残り時間を表示することを特徴とする、請求項１に記載した待ち合わせ支援システム。
【請求項３】
前記携帯端末は、前記待ち合わせ支援装置の前記待ち合わせ管理情報ＤＢに前記待ち合わせ管理情報を登録する操作がなされると、待ち合わせ日時、経路情報及び待ち合わせ相手となる他のユーザの連絡先情報をユーザに設定させ、待ち合わせ日時及び経路情報を記憶した後、設定された情報を待ち合わせ管理情報として前記待ち合わせ支援装置に送信し、更に、前記待ち合わせ管理情報に含まれる他のユーザの連絡先情報宛に待ち合わせ日時と目的駅を少なくとも送信し、他の前記携帯端末から待ち合わせ日時と目的駅を少なくとも受信すると、該待ち合わせ日時と該目的駅を記憶した後、該目的駅までの経路情報をユーザに設定させ、前記携帯端末に記憶している連絡先情報、受信した待ち合わせ日時及び設定した経路情報を前記待ち合わせ支援装置に送信する待ち合わせ管理情報設定手段を備え、
前記待ち合わせ支援装置は、前記携帯端末から前記待ち合わせ管理情報を受信すると、受信した前記待ち合わせ管理情報を前記待ち合わせ管理情報ＤＢに登録し、前記携帯端末から連絡先情報と経路情報を受信すると、受信した待ち合わせ日時及び連絡先情報にて決定される前記待ち合わせ管理情報に、受信した経路情報を受信した連絡先情報に関連付けて登録する待ち合わせ管理情報登録手段を備え、
ていることを特徴とする、請求項１または請求項２に記載した待ち合わせ支援システム。
【発明の詳細な説明】
【技術分野】
【０００１】
本発明は、待ち合わせメンバーとして登録されているユーザが所持する携帯端末を利用して、待ち合わせを支援するための技術に関する。
【背景技術】
【０００２】
外出先で待ち合わせする場合、早く待ち合わせ場所に先に着いた先着者は、待ち合わせ相手を待たなければならず、待ち合わせ相手の到着が大幅に遅れる場合、先着者は、待ち合わせ相手からいつ頃待ち合わせ場所に着くか知らせがない限り、待ち合わせ相手が到着するまで待ち合わせ場所で待たなくてはならず、不安やストレスを抱えることになる。
【０００３】
このような問題を解決策として、待ち合わせ時刻に遅れる場合、待ち合わせに遅れる者が待ち合わせ相手に電子メールすることが一般的に行われているが、特許文献１では、待ち合わせする者が、待ち合わせ相手と待ち合わせ場所の位置関係を把握できるように、待ち合わせする者が所持する携帯端末から位置情報を取得し、自端末の位置情報と、待ち合わせ相手が所持する携帯端末から取得した位置情報と、待ち合わせ場所の位置情報を地図上に表示させる発明が開示されている。
【先行技術文献】
【特許文献】
【０００４】
【特許文献１】特開２００９−２３１９３３号公報
【発明の概要】
【発明が解決しようとする課題】
【０００５】
しかしながら、特許文献１で開示されている発明では、待ち合わせする者が所持する携帯端末から位置情報を取得しなければならないが、携帯端末の電波が届かない場所（例えば、地下鉄）に待ち合わせする者がいる場合、待ち合わせする者が所持する携帯端末から位置情報を取得することができないし、また、待ち合わせ時刻に遅れる者が、待ち合わせ時刻に遅れることを電子メールにより連絡する場合、待ち合わせ時刻に遅れる者が待ち合わせ相手に電子メールを送信しなければ、待ち合わせ相手は待ち合わせ時刻に遅れることを把握できない。
【０００６】
そこで、本発明は、待ち合わせする者が所持する携帯端末から位置情報を取得することなく、到着時刻を自動で待ち合わせ相手に通知することのできる待ち合わせ支援システムを提供することを目的とする。
【課題を解決するための手段】
【０００７】
上述した課題を解決する第１の発明は、ユーザが所持しモバイル用ＩＣチップが搭載された携帯端末と、待ち合わせを支援するサービスを提供している待ち合わせ支援装置とから少なくとも構成されるシステムであって、  前記携帯端末は、待ち合わせ日時並びにユーザの連絡先情報及び経路情報を記憶し、モバイル用非接触ＩＣチップが経路情報の乗車駅に設置された自動改札機と交信すると、交信した日付が待ち合わせ日と同じ場合、前記携帯端末が記憶している連絡先情報を入場連絡先情報として前記待ち合わせ支援装置に通知する乗車通知手段と、前記待ち合わせ支援装置から連絡先情報と到着時刻を受信すると、受信した到着時刻と前記携帯端末が記憶している待ち合わせ時刻とから、該連絡先情報に対応するユーザの遅刻を判定し、判定結果を表示する到着状況表示手段を備える。
【０００８】
また、前記待ち合わせ支援装置は、待ち合わせのメンバーとして登録されているユーザ毎に、ユーザの連絡先情報と目的駅までの経路情報が記された待ち合わせ管理情報を記憶している待ち合わせ管理情報ＤＢと、前記携帯端末から前記入場連絡先情報が送信されると、持ち合わせ日がこの時の日付で前記入場連絡先情報を含む前記待ち合わせ管理情報を前記待ち合わせ管理情報ＤＢから検索する検索手段と、前記検索手段が検索した前記待ち合わせ管理情報から前記入場連絡先情報に関連付けられた経路情報を取得し、取得した経路情報とこの時の時刻に適合する列車を特定した後、特定した列車の時刻表から、特定した列車が該経路情報の目的駅に到着する到着時刻を取得する到着時刻取得手段と、前記到着時刻取得手段が到着時刻を取得すると、前記検索手段が検索した前記待ち合わせ管理情報から入場フラグが立てられている連絡先情報を検索し、前記入場連絡先情報と取得した到着時刻を抽出した連絡先情報宛に送信すると共に、入場フラグが立てられている連絡先情報と該連絡先情報に関連付けられている到着時刻並びに前記入場連絡先情報と取得した到着時刻を前記入場連絡先情報宛に送信した後、検索した待ち合わせ管理情報に含まれる前記入場連絡先情報に入場フラグを立てると共に、前記入場連絡先情報に関連付けて到着時刻を検索した待ち合わせ管理情報に記憶する到着時刻配信手段を備える。
【０００９】
更に、第２の発明は、第１の発明に記載した待ち合わせ支援システムにおいて、前記携帯端末の前記到着状況表示手段は、受信した到着時刻とこの時の時刻からユーザが目的駅に到着するまでの所要時間を求めた後、前記携帯端末が計測している時刻をキーとして所要時間の残り時間を表示することを特徴とする。
【００１０】
更に、第３の発明は、第１の発明または第２の発明に記載した待ち合わせ支援システムにおいて、前記携帯端末は、前記待ち合わせ支援装置の前記待ち合わせ管理情報ＤＢに前記待ち合わせ管理情報を登録する操作がなされると、待ち合わせ日時、経路情報及び待ち合わせ相手となる他のユーザの連絡先情報をユーザに設定させ、待ち合わせ日時及び経路情報を記憶した後、設定された情報を待ち合わせ管理情報として前記待ち合わせ支援装置に送信し、更に、前記待ち合わせ管理情報に含まれる他のユーザの連絡先情報宛に待ち合わせ日時と目的駅を少なくとも送信し、他の前記携帯端末から待ち合わせ日時と目的駅を少なくとも受信すると、該待ち合わせ日時と該目的駅を記憶した後、該目的駅までの経路情報をユーザに設定させ、前記携帯端末に記憶している連絡先情報、受信した待ち合わせ日時及び設定した経路情報を前記待ち合わせ支援装置に送信する待ち合わせ管理情報設定手段を備え、前記待ち合わせ支援装置は、前記携帯端末から前記待ち合わせ管理情報を受信すると、受信した前記待ち合わせ管理情報を前記待ち合わせ管理情報ＤＢに登録し、前記携帯端末から連絡先情報と経路情報を受信すると、受信した待ち合わせ日時及び連絡先情報にて決定される前記待ち合わせ管理情報に、受信した経路情報を受信した連絡先情報に関連付けて登録する待ち合わせ管理情報登録手段を備えていることを特徴とする。
【発明の効果】
【００１１】
本発明によれば、ユーザが乗車駅の自動改札機を通過した際に、ユーザが乗車する列車を特定し、該列車が目的駅に到着する到着時刻をユーザが目的駅に到着する到着時刻として取得し、取得した到着時刻を自動で待ち合わせ相手に通知するようにしているため、待ち合わせする者が所持する携帯端末から位置情報を取得することなく、到着時刻を自動で待ち合わせ相手に通知することができる。
【図面の簡単な説明】
【００１２】
【図１】本実施形態に係る待ち合わせ支援システムの構成を説明する図。
【図２】携帯端末の機能を説明する図。
【図３】待ち合わせ支援装置の機能を説明する図。
【図４】待ち合わせ管理情報を登録する際の動作を説明するフロー図。
【図５】待ち合わせ管理情報を登録する際に携帯端末に表示される画面を説明する図。
【図６】待ち合わせを支援する際の動作について説明するフロー図。
【図７】本実施形態における待ち合わせ支援情報を説明する図。
【発明を実施するための形態】
【００１３】
ここから、本発明にかかる待ち合わせ支援システム１の好適な実施形態について、図面を参照しながら詳細に説明する。なお、これから説明する実施形態は本発明の一実施形態にしか過ぎず、本発明は、これから説明する実施形態に限定されることなく、種々の変形や変更が可能である。
【００１４】
図１は、本実施形態に係る待ち合わせ支援システム１の構成を説明する図である。図１に図示したように、本実施形態に係る待ち合わせ支援システム１は、待ち合わせを支援するサービスを提供している待ち合わせ支援装置３と、待ち合わせ支援装置３で提供されているサービスを利用するユーザが所持する携帯端末２とから少なくとも構成され、図１では、これらの装置に加え、ユーザが利用する駅に設置されている自動改札機４を図示し、待ち合わせ支援システム１と携帯端末２はインターネット５を介して接続する。
【００１５】
待ち合わせのメンバーとして登録されているユーザが待ち合わせに遅れるか判定するためには、ユーザが目的駅に到着する到着時刻が必要で、本実施形態の待ち合わせ支援システム１では、ユーザが乗車駅の自動改札機４を通過した際に、ユーザが乗車する列車を推測し、該列車が目的駅に到着する到着時刻をユーザが目的駅に到着する到着時刻として特定し、特定した到着時刻を自動で待ち合わせ相手に通知するようにしている。
【００１６】
ユーザが乗車駅の自動改札機４を通過した際に到着時刻を待ち合わせ相手に通知することで、自動改札機４が設置されている場所は携帯端末２のサービスエリアに含まれているため、携帯端末２の電波が届かないことで到着時刻を待ち合わせ相手に通知できなくなることはない。
【００１７】
ここから、本実施形態に係る待ち合わせ支援システム１を構成する各装置について詳細に説明する。まず、待ち合わせ支援システム１を構成する携帯端末２について説明する。図２は、携帯端末２の機能を説明する図である。
【００１８】
図２に図示したように、携帯端末２は、携帯電話やスマートフォンなどのように、近接型の非接触通信を利用したサービス向けに開発されたモバイル用非接触ＩＣチップ２３が実装され無線通信機能を備え、ユーザが携帯可能な装置で、本実施形態の携帯端末２には、モバイル用非接触ＩＣチップ２３を利用するアプリケーションとして、乗車券（定期券）として機能する乗車券アプリケーション２４と、待ち合わせ支援装置３を利用するための待ち合わせ支援アプリケーション２５が実装されている。
【００１９】
また、待ち合わせ支援アプリケーション２５には、携帯端末２を所持するユーザの連絡先情報（ここでは、電子メールアドレス）がインストール時に設定され、更に、待ち合わせ管理情報が設定される際に、待ち合わせ日時並びにユーザの連絡先情報及び経路情報が記憶される。
【００２０】
また、待ち合わせ支援アプリケーション２５によって実現される機能として、携帯端末２には、ユーザが駅に入場したことを待ち合わせ支援装置３に通知するために、モバイル用非接触ＩＣチップ２３が経路情報の乗車駅に設置された自動改札機４と交信すると、交信した日付が待ち合わせ日と同じ場合、記憶している連絡先情報を入場連絡先情報として待ち合わせ支援装置３に通知する乗車通知手段２０が備えられ、更に、ユーザ自身及び待ち合わせ相手の到着時刻を表示するために、待ち合わせ支援装置３から連絡先情報と到着時刻を受信すると、受信した到着時刻と携帯端末２が記憶している待ち合わせ時刻とから、該連絡先情報に対応するユーザの遅刻を判定し、判定結果を表示する到着状況表示手段２１が備えられ、本実施形態において、携帯端末２の到着状況表示手段２１は、ユーザの遅刻の判定結果に加え、受信した到着時刻とこの時の時刻からユーザが目的駅に到着するまでの所要時間を求めた後、携帯端末２が計測している時刻をキーとして所要時間の残り時間を表示する。
【００２１】
更に、携帯端末２には、待ち合わせ管理情報を設定するために、待ち合わせ支援装置３の待ち合わせ管理情報ＤＢ３６に待ち合わせ管理情報を登録する操作がなされると、待ち合わせ日時、経路情報及び待ち合わせ相手となる他のユーザの連絡先情報をユーザに設定させ、待ち合わせ日時及び経路情報を記憶した後、設定された情報を待ち合わせ管理情報として待ち合わせ支援装置３に送信し、更に、待ち合わせ管理情報に含まれる他のユーザの連絡先情報宛に待ち合わせ日時と目的駅を少なくとも送信し、他の携帯端末２から待ち合わせ日時と目的駅を少なくとも受信すると、該待ち合わせ日時と該目的駅を記憶した後、該目的駅までの経路情報をユーザに設定させ、携帯端末２に記憶している連絡先情報、受信した待ち合わせ日時及び設定した経路情報を待ち合わせ支援装置３に送信する待ち合わせ管理情報設定手段２２が備えられる。
【００２２】
次に、待ち合わせ支援システム１を構成する待ち合わせ支援装置３について説明する。図３は、待ち合わせ支援装置３の機能を説明する図である。
【００２３】
待ち合わせ支援装置３は、汎用的なウェブサーバを利用して実現される装置で、図３に図示したように、データベース（DB: DataBase）として、待ち合わせ日時、目的駅、待ち合わせのメンバーとして登録されている各ユーザの連絡先情報及び到着時刻が含まれる待ち合わせ管理情報を記憶する待ち合わせ管理情報ＤＢ３６と、様々な路線の時刻表を記憶している路線情報ＤＢ３５を備え、該ウェブサーバに実装されるアプリケーションで実現される機能として、駅に入場したユーザの到着時刻を得るために、携帯端末２から入場連絡先情報が送信されると、この時の日付で入場連絡先情報を含む待ち合わせ管理情報を待ち合わせ管理情報ＤＢ３６から検索する検索手段３０と、検索手段３０が検索した待ち合わせ管理情報から入場連絡先情報に関連付けられた経路情報を取得し、取得した経路情報とこの時の時刻に適合する列車を特定した後、特定した列車の時刻表から、特定した列車が該経路情報の目的駅に到着する到着時刻を取得する到着時刻取得手段３１と、到着時刻取得手段３１が到着時刻を取得すると、検索手段３０が検索した待ち合わせ管理情報から入場フラグが立てられている連絡先情報を検索し、入場連絡先情報と取得した到着時刻を抽出した連絡先情報宛に送信すると共に、入場フラグが立てられている連絡先情報と該連絡先情報に関連付けられている到着時刻並びに入場連絡先情報と取得した到着時刻を入場連絡先情報宛に送信した後、検索した待ち合わせ管理情報に含まれる入場連絡先情報に入場フラグを立てると共に、入場連絡先情報に関連付けて到着時刻を記憶する到着時刻配信手段３２が備えられる。
【００２４】
また、待ち合わせ管理情報を待ち合わせ管理情報ＤＢ３６に登録するために、携帯端末２から待ち合わせ管理情報を受信すると、受信した待ち合わせ管理情報を待ち合わせ管理情報ＤＢ３６に登録し、携帯端末２から連絡先情報と経路情報を受信すると、受信した待ち合わせ日時及び連絡先情報にて決定される待ち合わせ管理情報に、受信した経路情報を受信した連絡先情報に関連付けて登録する待ち合わせ管理情報登録手段３３が備えられ、本実施形態では、ユーザが経路情報を検索できるように、携帯端末２から引き渡された乗車駅と目的駅が引き渡されると、該乗車駅から該目的駅までの経路を検索する経路検索手段３４が備えられる。
【００２５】
ここから、待ち合わせ支援システム１の動作を説明しながら、携帯端末２及び待ち合わせ支援装置３に備えられた各手段について詳細に説明する。
【００２６】
図４は、待ち合わせ管理情報を登録する際の動作を説明するフロー図で、図５は、待ち合わせ管理情報を登録する際に携帯端末２に表示される画面を説明する図である。
【００２７】
待ち合わせのメンバーとなる一人のユーザが携帯端末２を操作して待ち合わせ支援アプリケーション２５を起動させた後、待ち合わせ支援アプリケーション２５のメニューの中から待ち合わせ管理情報を登録するメニューを選択すると、携帯端末２の待ち合わせ管理情報設定手段２２が作動し（Ｓ１）、携帯端末２の待ち合わせ管理情報設定手段２２は作動すると、待ち合わせ日時を設定させる画面（図５（ａ））を表示し、待ち合わせ管理情報を登録するユーザに待ち合わせ日時を設定させ、待ち合わせ管理情報に含ませる待ち合わせ日時を取得する（Ｓ２）。
【００２８】
本実施形態では、待ち合わせ日時を設定させる画面（図５（ａ））には経路設定ボタンオブジェクト６ａが設けられ、経路設定ボタンオブジェクト６ａが選択されると、携帯端末２の待ち合わせ管理情報設定手段２２は、待ち合わせ管理情報を登録するユーザに、該ユーザの乗車駅と待ち合わせする際の目的駅を設定させる画面（図５（ｂ））を表示し、待ち合わせ管理情報を登録するユーザに乗車駅と目的駅を設定させ、待ち合わせ管理情報に含ませる目的駅を取得する（Ｓ３）。
【００２９】
本実施形態では、乗車駅と目的駅を設定させる画面（図５（ｂ））には、待ち合わせ管理情報を登録するユーザの経路を設定できるように、待ち合わせ支援装置３の待ち合わせ支援装置３の経路検索手段３４を利用するための経路検索ボタンオブジェク６ｂトが設けられ、経路検索ボタンオブジェクト６ｂが選択されると、携帯端末２の待ち合わせ管理情報設定手段２２は、待ち合わせ管理情報を登録するユーザが設定した乗車駅、目的駅及び待ち合わせ日時を待ち合わせ支援装置３の経路検索手段３４へ送信して（Ｓ４）、乗車駅から目的駅までの経路情報を待ち合わせ支援装置３の経路検索手段３４に検索させる。
【００３０】
待ち合わせ支援装置３の経路検索手段３４は、乗車駅、目的駅及び待ち合わせ日時が携帯端末２から引き渡されると、経路情報ＤＢ３５を参照して、乗車駅から目的駅までの経路情報を検索し、更に、ユーザに待ち合わせに間に合う列車を提示するために、待ち合わせ時刻前に目的駅に到着する列車の中で、到着時刻が最も待ち合わせ時刻に近い列車の発車／到着時刻を時刻表情報として経路情報毎に検索する（Ｓ５）。
【００３１】
携帯端末２の待ち合わせ管理情報設定手段２２は、待ち合わせ支援装置３の経路検索手段３４から得られた経路情報と時刻表情報の検索結果を受信すると、検索結果に含まれる経路情報の一覧を表示し、複数の経路情報が検索されている場合、携帯端末２の待ち合わせ管理情報設定手段２２は、検索された複数の経路情報の中から一つの経路情報を選択させるための画面（図５（ｃ））を表示し、待ち合わせる際にユーザが利用する経路情報を一つ選択させ、ユーザが一つの経路情報を選択すると、ユーザが選択した経路情報と該経路情報の時刻表情報を表示する画面（図５（ｄ））を表示し、待ち合わせ管理情報を登録するユーザの経路情報として選択された経路情報を取得する（Ｓ６）。
【００３２】
本実施形態では、ユーザが選択した経路情報の詳細を表示する画面には、待ち合わせのメンバーとして登録する他のユーザを設定するためのメンバー設定ボタンオブジェクト６ｃが設けられる。メンバー設定ボタンオブジェクト６ｃが選択されると、携帯端末２の待ち合わせ管理情報設定手段２２は、待ち合わせのメンバーとして登録する他のユーザの連絡先情報を設定する画面（図５（ｅ））を表示し、待ち合わせ管理情報を登録するユーザに待ち合わせのメンバーとして登録する他のユーザの連絡先情報を設定させ、待ち合わせのメンバーとして登録する他のユーザの連絡先情報と、携帯端末２に記憶されている連絡先情報を待ち合わせ管理情報に含ませる待ち合わせのメンバーの連絡先情報として取得する（Ｓ７）。
【００３３】
本実施形態では、待ち合わせのメンバーとして登録する他のユーザの連絡先情報を設定する画面には、待ち合わせ管理情報を登録するユーザがこれまでに設定した情報を待ち合わせ支援装置３の待ち合わせ管理情報ＤＢ３６に登録するための登録ボタンオブジェクト６ｄが設定されており、待ち合わせ管理情報を登録するユーザによって登録ボタンオブジェクト６ｄが選択されると、携帯端末２の待ち合わせ管理情報設定手段２２は、これまで設定された情報を待ち合わせ管理情報として待ち合わせ支援装置３へ送信する（Ｓ８）。
【００３４】
なお、待ち合わせ支援装置３に送信される待ち合わせ管理情報には、待ち合わせ日時、目的駅、待ち合わせメンバーの連絡先情報及び待ち合わせ管理情報を登録したユーザの経路情報が含まれる。なお、この時点で待ち合わせ管理情報ＤＢ３６に登録される待ち合わせ管理情報には、待ち合わせ管理情報を登録するユーザの連絡先情報に該ユーザの経路情報が関連付けられ、待ち合わせメンバーの他のユーザの連絡先情報に経路情報は関連付けられていない。
【００３５】
待ち合わせ支援装置３の待ち合わせ管理情報登録手段３３は、待ち合わせ管理情報を登録するユーザが操作する携帯端末２から待ち合わせ管理情報を受信すると、待ち合わせ管理情報の識別子を付加して待ち合わせ管理情報を待ち合わせ管理情報ＤＢ３６に登録する（Ｓ９）。
【００３６】
携帯端末２の待ち合わせ管理情報設定手段２２は待ち合わせ管理情報を待ち合わせ支援装置３へ送信すると、携帯端末２の待ち合わせ管理情報設定手段２２に設定された他のユーザの連絡先情報宛に、該ユーザの経路情報を設定させるための電子メールを送信する（Ｓ１０）。
【００３７】
この電子メールには、待ち合わせ管理情報と設定された待ち合わせ日時及び目的駅に加え、携帯端末２の待ち合わせ管理情報設定手段２２を呼び出すためのスクリプト（例えば、ハイパーリンク）が記述されており、該スクリプトが選択されることで、携帯端末２の待ち合わせ管理情報設定手段２２が電子メールから呼び出されると、携帯端末２の待ち合わせ管理情報設定手段２２は、電子メールに記述された待ち合わせ日時及び目的駅を記憶した後（Ｓ１１）、電子メールに記述された目的駅を表示して経路情報の乗車駅のみを設定させる画面（図５（ｆ））を表示し、待ち合わせ相手となるユーザに乗車駅を設定させ、待ち合わせ相手となるユーザの乗車駅を取得する（Ｓ１２）。
【００３８】
経路の乗車駅のみを設定させる画面（図５（ｆ））には、待ち合わせ支援装置３の経路検索手段３４を利用するための経路検索ボタンオブジェクト６ｅが設けられ、経路検索ボタンオブジェクト６ｅが選択されると、携帯端末２の待ち合わせ管理情報設定手段２２は、ユーザが設定した乗車駅と電子メールに記述されている目的駅を待ち合わせ支援装置３の経路検索手段３４へ送信して（Ｓ１３）、乗車駅から目的駅までの経路情報を待ち合わせ支援装置３の経路検索手段３４に検索させる。
【００３９】
待ち合わせ支援装置３の経路検索手段３４は、経路情報ＤＢ３５を参照して、乗車駅から目的駅までの経路情報を検索し、更に、ユーザに待ち合わせに間に合う列車を提示するために、待ち合わせ時刻前に目的駅に到着する列車の中で、到着時刻が最も待ち合わせ時刻に近い列車の発車／到着時刻を時刻表情報として経路情報毎に検索し、検索結果を携帯端末２へ送信する（Ｓ１４）。
【００４０】
携帯端末２の待ち合わせ管理情報設定手段２２は、待ち合わせ管理情報を登録したユーザと同様にして、待ち合わせ相手となるユーザの経路情報の検索結果を表示する画面（図５（ｇ））を表示し、待ち合わせ管理情報を登録するユーザの待ち合わせ相手となるユーザの経路情報を取得する（Ｓ１５）。
【００４１】
待ち合わせ相手となるユーザの経路の検索結果を表示する画面（図５（ｇ））には、待ち合わせ相手となるユーザの経路情報を待ち合わせ管理情報ＤＢ３６に登録するための経路登録ボタンオブジェクト６ｆが設定され、経路登録ボタンオブジェクト６ｆが選択されると、待ち合わせ支援装置３に対して、携帯端末２に記憶している連絡先情報、受信した待ち合わせ日時及び設定した経路情報を待ち合わせ支援装置３に送信する（Ｓ１６）。
【００４２】
待ち合わせ支援装置３の待ち合わせ管理情報登録手段３３は、連絡先情報、待ち合わせ日時及び設定した経路情報を携帯端末２から受信すると、連絡先情報及び待ち合わせ日時を含む待ち合わせ管理情報を待ち合わせ管理情報ＤＢ３６から検索し、検索した待ち合わせ管理情報に含まれる該連絡先情報に関連付けて経路情報を登録し（Ｓ１７）、この手順は終了する。
【００４３】
ここから、待ち合わせを支援する際の待ち合わせ支援システム１の動作について説明する。図６は、待ち合わせを支援する際の動作について説明するフロー図である。
【００４４】
ユーザが列車に乗車する際、ユーザは、ユーザが所持する携帯端末２を駅（乗車駅）に設置された自動改札機４にかざし、携帯端末２のモバイル用非接触ＩＣチップ２３と自動改札機４が通信すると、携帯端末２に実装されている待ち合わせ支援アプリケーション２５が自動的に起動し（Ｓ２０）、携帯端末２に記憶されている待ち合わせ日時とこの時の日付が一致する場合、携帯端末２の乗車通知手段２０は、待ち合わせ支援アプリケーション２５に設定されているユーザの連絡先情報を入場連絡先情報として待ち合わせ支援装置３に通知する（Ｓ２１）。
【００４５】
乗車通知装置から入場連絡先情報が送信されると、待ち合わせ支援装置３の検索手段３０は、この時の日付を持ち合わせ日とし入場連絡先情報を含む待ち合わせ管理情報を待ち合わせ管理情報ＤＢ３６から検索する（Ｓ２２）。
【００４６】
待ち合わせ支援装置３の検索手段３０が待ち合わせ管理情報を検索すると、待ち合わせ支援装置３の到着時刻取得手段３１が作動し、待ち合わせ支援装置３の到着時刻取得手段３１は、検索手段３０が検索した待ち合わせ管理情報から入場連絡先情報に関連付けられた経路情報を取得する（Ｓ２３）。
【００４７】
次に、待ち合わせ支援装置３の到着時刻取得手段３１は、経路情報ＤＢ３５を参照し、経路情報とこの時の時刻に適合する列車として、経路情報で示される経路の時刻表の中から、この時の時刻から後に発車する列車で最も早く目的駅に到着する列車を特定し、特定した列車の時刻表から、特定した列車が該経路情報の目的駅に到着する到着時刻を取得する（Ｓ２４）。
【００４８】
待ち合わせ支援装置３の到着時刻取得手段３１が到着時刻を取得すると、待ち合わせ支援装置３の到着時刻配信手段３２が作動し、待ち合わせ支援装置３の到着時刻配信手段３２は、まず、検索手段３０が検索した待ち合わせ管理情報から入場フラグが立てられている連絡先情報を抽出する（Ｓ２５）。
【００４９】
そして、待ち合わせ支援装置３の到着時刻配信手段３２は、入場連絡先情報と取得した到着時刻を抽出した連絡先情報宛に送信する（Ｓ２６）と共に、抽出した連絡先情報と該連絡先情報に関連付けられている到着時刻並びに入場連絡先情報と取得した到着時刻を入場連絡先情報宛に送信する（Ｓ２７）。なお、入場フラグが立てられている連絡先情報が抽出されなかった場合、入場連絡先情報と取得した到着時刻を入場連絡先情報宛に送信する処理になる。
【００５０】
そして、待ち合わせ支援装置３の到着時刻配信手段３２は、検索した待ち合わせ管理情報に含まれる入場連絡先情報に入場フラグを立てると共に、入場連絡先情報に関連付けて到着時刻を該待ち合わせ管理情報に記憶する（Ｓ２８）。
【００５１】
入場したユーザが所持する携帯端末２の到着状況表示手段２１は、ユーザの連絡先情報と到着時刻を待ち合わせ支援装置３から受信すると、待ち合わせ支援装置３から受信した到着時刻と携帯端末２に記憶されている待ち合わせ時刻から、該連絡先情報に対応するユーザの遅刻を判定し、判定結果などを表示する処理を実行する（Ｓ２９ａ）。なお、入場済みの他のユーザがいない場合、この時点で到着状況表示手段２１が表示するユーザは入場したユーザのみなり、また、入場済みのユーザがいる場合、到着状況表示手段２１が表示するユーザは入場したユーザに加え入場済みの他のユーザになる。
【００５２】
また、入場済みの他のユーザが所持する携帯端末２の到着状況表示手段２１は、ユーザの連絡先情報と到着時刻を待ち合わせ支援装置３から受信すると、待ち合わせ支援装置３から受信した到着時刻と携帯端末２に記憶されている待ち合わせ時刻から、該連絡先情報に対応するユーザの遅刻を判定し、判定結果などを表示する処理を実行する（Ｓ２９ｂ）。なお、ここで、携帯端末２の到着状況表示手段２１が表示するユーザは、この時点で表示しているユーザに加え、入場したユーザになる。
【００５３】
次に、携帯端末２の到着状況表示手段２１の処理について説明する。図７は、本実施形態における待ち合わせ支援情報を説明する図である。  本実施形態において、携帯端末２の到着状況表示手段２１が表示する画面には、少なくとも、連絡先情報が付加された人型アイコン７０と目的駅を示すオブジェクト７１が表示される。なお、図６のフローによれば、表示する人型アイコン７０は、乗車駅に入場したユーザの数になり、人型アイコン７０の最大数は待ち合わせ管理情報に含まれるユーザの数になる。
【００５４】
待ち合わせにおいては遅刻が問題になるため、待ち合わせ時刻に遅れるユーザと遅刻時間を表示することが必要で、本実施形態において、携帯端末２の到着状況表示手段２１は、待ち合わせ時刻に遅れるユーザがいる場合、該ユーザに対応する人型アイコン７０に遅刻を示す記号（ここでは、「遅」の文字）を付加し、更に、該ユーザの到着時刻と待ち合わせ時刻から求められる遅刻時間を付加している。
【００５５】
また、本実施形態では、待ち合わせメンバーとして登録されているユーザが目的駅に到着するまでの残り時間を容易に把握できると利便性が増すため、本実施形態において、携帯端末２の到着状況表示手段２１は、ユーザが目的駅に到着するまでの所要時間の残り時間に合わせて人型アイコン７０を目的駅まで動かすことで、待ち合わせメンバーとして登録されているユーザが目的駅に到着するまでの残り時間を直感的に把握できるようにしている。
【００５６】
図７（ａ）は、最初に駅に入場したユーザが所持する携帯端末２に表示される画面で、図７（ａ）では、最初に駅に入場したユーザに対応する人型アイコン７ａ１が表示される。該ユーザに対応する人型アイコン７０（７０ａ）には該ユーザの連絡先情報が付加され、該ユーザに対応する人型アイコン７０（７０ａ）と目的駅を示すオブジェクト７１と人型アイコン７０（７０ａ）の間隔は、該ユーザが目的駅に到着するまでの残り時間を示し、駅に入場した際の所要時間の残り時間は所要時間の（該ユーザの入場時間と到着時刻）の差になる。
【００５７】
人型アイコン７０は、携帯端末２が計測している時刻をキーとして所要時間の残り時間に応じて移動し、本実施形態において、携帯端末２の到着状況表示手段２１は、一定時間（例えば、１分間）が経過する毎に、人型アイコン７０を表示しているユーザの残り時間を更新し、更新後の残り時間に従い人型アイコン７０の表示位置を更新する。
【００５８】
図７（ｂ）は、図７（ａ）から１０分が経過した後の画面で、１０分が経過することで、人型アイコン７０（７０ａ）に対応するユーザの残り時間は１０分だけ短くなるため、目的駅を示すオブジェクト７１と人型アイコン７０（７０ａ）の間隔は、１０分間に応じた長さだけ短くなっている。
【００５９】
図７（ｃ）は、新たなユーザが駅に入場した際に表示される画面で、図７（ｃ）では、最初に駅に入場したユーザに対応する人型アイコン７０（７０ａ）と、２番目に駅に入場したユーザに対応する人型アイコン７０（７０ｂ）が表示される。
【００６０】
２番目に駅に入場したユーザに対応する人型アイコン７０（７０ｂ）には該ユーザの連絡先情報が付加され、更に、２番目に駅に入場したユーザの到着時刻から該ユーザは待ち合わせ時刻に遅れると判定され、該ユーザに対応する人型アイコン７０（７０ｂ）には、遅刻を示す記号と遅刻時間が付加されている。
【００６１】
最初の駅に入場したユーザと２番目に駅に入場したユーザそれぞれが所持する携帯端末２に表示される内容は同じであるが、最初の乗車駅に入場したユーザが所持する携帯端末２には、２番目に駅に入場したユーザに対応する人型アイコン７０（７０ｂ）が追加されて表示され、２番目に駅に入場したユーザが所持する携帯端末２には、最初の駅に入場したユーザに対応する人型アイコン７０（７０ａ）と、２番目に駅に入場したユーザに対応する人型アイコン７０（７０ｂ）が新規に表示される。
【００６２】
図７（ｄ）は、最初の乗駅に入場したユーザの残り時間が「０分」になった時の画面で、残り時間が「０分」になった該ユーザに対応する人型アイコン７０（７０ａ）は目的駅のオブジェクト７１上に表示される。
【００６３】
図７（ｅ）は、２番目に駅に入場したユーザの残り時間が「０分」になった時の画面で、すべてのユーザの残り時間が「０分」になると、携帯端末２の到着状況表示手段２１は処理を終了し、待ち合わせ支援アプリケーション２５は自動的に終了する。
【符号の説明】
【００６４】
１    待ち合わせ支援システム
２    携帯端末
２０    乗車通知手段
２１    到着状況表示手段
２２    待ち合わせ管理情報設定手段
２３    モバイル用非接触ＩＣチップ
２４    乗車券アプリケーション
３    待ち合わせ支援装置
３０    検索手段
３１    到着時刻取得手段
３２    到着時刻配信手段
３３    待ち合わせ管理情報登録手段
３４    経路検索手段
３５    路線情報ＤＢ
３６    待ち合わせ管理情報ＤＢ
４    自動改札機
５    インターネット
【図１】
2013116713.tif 000003
【図２】
2013116713.tif 000004
【図３】
2013116713.tif 000005
【図４】
2013116713.tif 000006
【図５】
2013116713.tif 000007
【図６】
2013116713.tif 000008
【図７】
2013116713.tif 000009